(57)【要約】【課題】  夏の昼に太陽熱集熱部としての屋根を冷やして室内への悪影響を無くし、同時に建築基準法で定められた健康的な生活をするために必要な建物の換気を特別な換気設備を設けることなく、効率的に得ることができる。【解決手段】  屋根板１の直下に空気流路２を形成してなる太陽熱集熱部を設け、この太陽熱集熱部に集熱用ファン７を内部に配設したハンドリングボックス５を集熱ダクト４介して接続させ、さらに、ハンドリングボックス５には床下への立下りダクト１０を接続したパッシブソーラーシステムハウスにおいて、ハンドリングボックス５に集熱ダクト４へのリターンダクト２２を接続し、このリターンダクト２２と前記立下りダクト１０への流路を切換える流路切換えダンパー８を設け、前記ハンドリングボックス５に室内２０に開口する吸気ダクトまたは吸気口２７を前記集熱ダクト４とはダンパー６′で切換え可能に設けた。【選択図】        図１
2005291594.tif 000002
【特許請求の範囲】
【請求項１】
屋根板の直下に、一方の端は軒先等に空気取入口として開口屋根と同様の勾配を有する空気流路を形成してなる太陽熱集熱部を設け、この太陽熱集熱部に、集熱用ファンを内部に配設したハンドリングボックスを集熱ダクトを介して接続させ、さらに、ハンドリングボックスには床下への立下りダクトを接続し、太陽熱集熱部で得た集熱空気を集熱用ファンで立下りダクトを介して室内に送り込むパッシブソーラーシステムハウスにおいて、ハンドリングボックスに集熱ダクトへのリターンダクトを接続し、このリターンダクトと前記立下りダクトへの流路を切換える流路切換えダンパーを設け、前記ハンドリングボックスに室内に開口する吸気ダクトまたは吸気口を前記集熱ダクトとはダンパーで切換え可能に設けたことを特徴とするパッシブソーラーシステムハウス。
【請求項２】
地中に埋設するチューブの一端を屋外に開口し、他端を屋内に引き込み、ここにファン内蔵のハンドリングボックスを接続して床下または室内に開口する請求項１記載のパッシブソーラーシステムハウス。
【請求項３】
室内に酸化チタンメッシュスクリーンを設置する請求項１または請求項２記載のパッシブソーラーシステムハウス。
【発明の詳細な説明】
【技術分野】
【０００１】
本発明は、冬等に太陽エネルギーを利用するものとして、太陽で温められる空気によって暖房等を行うパッシブソーラーシステムハウスに関するものである。
【背景技術】
【０００２】
わが国の建物の熱性能は、省エネという観点からはとでも貧しいものである。夏の暑さを電力に支えられるエアコンでしのぎ、冬は寒いといって、石油をふんだんに燃やして暖房をしてきた結果、住宅や建築がエネルギー危機や二酸化炭素による地球温暖化の現象に与えた影響はとても大きなものである。
【０００３】
今、先進国がなすべきことは、生活のレベルを低下させることなく、生活の高度化を図りつつ、環境負荷を低減させる方法を生み出すことである。そこで、風およびその他気象条件だけではなく、外部環境条件に柔軟に対応する住居および建物を建設して室内暖房、冷房、換気、除湿、および給湯のための太陽エネルギー利用を最適化することが求められる。
【０００４】
出願人等は先に、下記特許文献として「ソーラーシステムハウス」の特許権を取得した。
【０００５】
【特許文献１】特公平０８−００１３３６号公報「ソーラーシステムハウスおよびそれに使用するハンドリングボックス」
【特許文献２】特公平０７−１１６７６５号公報「ソーラーシステムハウス」
【特許文献３】特公平０６−０７０５２８号公報「ソーラーシステムハウス」
【特許文献４】特許３２９５０７０号公報「ソーラーシステムハウス」
【特許文献５】特許３２７４８５８号公報「ソーラーシステムハウス」
【特許文献６】特許３１８２５４４号公報「ソーラーシステムハウス」
【特許文献７】特許３１３４１１８号公報「ソーラーシステムハウス」
【特許文献８】特許３０６６４５６号公報「ソーラーシステムハウス」
【０００６】
これらの特許文献のソーラーシステムハウスによれば、まず、屋根で集熱するものであることに特徴を有する。太陽エネルギーのエネルギーとしての特徴とは何かといえば、それは、「うすく、ひろく、まんべんなく」という点といえる。石油で得られる熱のように、集中的高温ではないことは、大規模で集中的な発電には不向きである。つまり、太陽エネルギー利用は、一つ一つの建物が、その「屋根」を利用すること、それがもっとも現実的であり、エネルギーのもつ特徴にもよく合っている。そこで、一番太陽を広く受ける「屋根」で、太陽エネルギーを集め、建物の中に取り込むものである。
【０００７】
地域における建物の高度制限がきびしく、たとえそのために、室内に日照を得られないとしても、たいがい「屋根」には、太陽エネルギーが豊かに降り注いでいる。つまりこの利用は、屋根本来の雨風を防ぐ「シェルター」という機能に、「熱を取り込む」という新しい機能を加えたものである。
【０００８】
次に、空気で熱を移送するものである。室内に熱を取り込むとき、広く行われているのが、水に移し替える方法である。前記特許文献のソーラーシステムハウスは、水の替わりに、「空気」を暖かくして取り入れるものである。その理由は、水集熱には多くの難しい面があるためである。一滴の水も漏れないようにしなければならないこと、太陽エネルギーにより水の沸騰がしばしば起こり、その沸騰の蒸気圧に耐えなければならないこと、凍るという現象が起こること、さらに管の膨張収縮を起こることなどが、その理由として上げられる。これに対して空気は、少しぐらいは漏れても誰にも迷惑をかけない、何より気づかない。また、空気は気体だから沸騰することはありえない。このことから、空気を使うことは、たいへん安心である。
【０００９】
前記特許文献のソーラーシステムハウスは、図４にあるように、カラー鉄板の金属製屋根板１の直下に屋根勾配を有する空気流路２を形成し、この空気流路２の一方の端は軒先等に空気取入口３として開口し、さらに空気流路２の他方の端は集熟ダクト４としての棟ダクトに連通させる。
【００１０】
内部に逆流防止ダンパー６、集熱用ファン７及び流路切換えダンパー８を設けたハンドリングボックス５を屋根裏空間である小屋裏２９に設置し、ハンドリングボックス５の流路切換えダンパー８の流出側の一方は排気ダクト９により屋外に開口する。
【００１１】
また、ハンドリングボックス５の逆流防止ダンパー６の流入側をダクト３２を介して前記集熱ダクト４に連通させ、流路切換えダンパー８の流出側の他の一方を立下りダクト１０の上端に連結する。立下りダクト１０の下端は床下蓄熱体としての土間コンクリ−ト１１と床パネル１２との間の空気流通空間１３に開口した。さらに、該空気流通空間１３から室内への床吹出口１４を設けた。
【００１２】
ハンドリングボックス５の内部またはハンドリングボックス５と集熱ダクト４との間にお湯とりコイル１５を設け、このお湯とりコイル１５は循環配管１６で貯湯槽１７および循環ポンプ１９と連結し、該貯湯槽１７には、追焚き用の給湯ボイラー１８を途中へ設けて、風呂や洗面所、台所へとつながる給湯配管２１を接続する。
【００１３】
このようにして、太陽光で加熱された金属板である屋根板１が、空気流路２へ入った外気を温め、この温められた空気は屋根勾配に沿って上昇する。そして、この加熱空気は集熱ダクト４に集められてから集熱用ファン７によりハンドリングボックス５に入り、ハンドリングボックス５から立下りダクト１０内へ流下し、蓄熱土間コンクリート１１と床パネル１２との間の空気流通空間１３へ入る。この空気流通空間１３では加熱空気が床パネル１２を介して直接床面下を温めるのと、蓄熱土間コンクリ−ト１１に蓄熱させるのと床吹出口１４から温風として直接室内２０へ吹出させるのとの３通りの暖房作用を行う。
【００１４】
一方、お湯とりコイル１５で、ここに循環配管１６を介して貯湯槽１７から循環ポンプ１９によって送り込まれる熱媒が加熱され、湯として貯湯槽１７へ蓄えられ、さらにここから必要に応じて追焚き用の給湯ボイラー１８で再加熱されて給湯配管２１から各所へ給湯される。
【００１５】
夏季等高温時で暖房の必要のない季節では屋根板１で温められた加熱空気は全部外気に放出して捨てることが必要となる。その場合は流路切換えダンパー８で流出側の一方である立下りダクト１０側を閉塞し、流出側の他の一方である排気ダクト９側を開放すれば、ハンドリングボックス５から加熱空気は排気ダクト９を介して屋外へ捨てられる。
【００１６】
なお、加熱空気はハンドリングボックス５を通ることでお湯とりコイル１５の加熱は行うので、夏季等高温時でも太陽熱利用で湯が得られることは確保できる。
【発明の開示】
【発明が解決しようとする課題】
【００１７】
このように夏の昼間はお湯取りのために、屋根板１で集熱を行い、温められた空気はハンドリングボックス５から排気ダクト９を介して屋外へ捨てられる。
【００１８】
その結果、ハンドリングボックス５内の機器である逆流防止ダンパー６、集熱用ファン７及び流路切換えダンパー８はかなりの高温に曝され、モーター等の電装品の損耗が早まる。また、高温に曝されるために、機械等から有害物質が発生するおそれもある。
【００１９】
また、空気流路２を中心に屋根部が高温となり、空気流路２の下側には断熱材が配されているとは言え、室内への影響が皆無ではない。特に、天井部を形成せずに小屋裏がない場合は屋根裏が直室内となり、影響を受けやすい。
【００２０】
ところで、改正された建築基準法では健康的な生活をするために必要な建物の換気を、１時間に０．５回、［その建物の体積分（気積という）］の空気が２時間に１回外部の空気と入れ代わること）行うことと定めている。前記ソーラーシステムハウスでも同様であり、２４時間機械換気設備を設置して２４時間換気を行う必要がある。
【００２１】
そのためには２４時間換気扇を設置することになるが、太陽熱による小さな暖房エネルギーを建物全体に送り届けるためには計画的な換気による空気の流れを作る必要が有る。
【００２２】
前記ソーラーシステムハウスでは、冬の昼間等の集熱時には、屋根板で温められた空気がハンドリングボックスから立下りダクト内へ流下し、蓄熱土間コンクリートと床パネルとの間の空気流通空間へ入り、床吹出口から温風として直接室内へ吹出させることにより、これを換気として見た場合は、押し込み型、いわゆる静圧型の換気となり、前記室内へ吹き込む量に対応して室内の空気が外へ排気される。
【００２３】
しかし、前記夏の昼間等では加熱空気は室内へ行かずに素通りするだけなので換気は全く行われない。その結果、別途換気設備が必要となる。
【００２４】
本発明はこのような事情を考慮して、太陽エネルギー利用を最適化することができるというパッシブソーラーシステムハウスの利点を生かしながら、夏の昼に太陽熱集熱部としての屋根を冷やして室内への悪影響を無くし、同時に建築基準法で定められた健康的な生活をするために必要な建物の換気を特別な換気設備を設けることなく、効率的に得ることができるパッシブソーラーシステムハウスを提供することにある。
【課題を解決するための手段】
【００２５】
前記目的を達成するため請求項１記載の本発明は、屋根板の直下に、一方の端は軒先等に空気取入口として開口屋根と同様の勾配を有する空気流路を形成してなる太陽熱集熱部を設け、この太陽熱集熱部に、集熱用ファンを内部に配設したハンドリングボックスを集熱ダクトを介して接続させ、さらに、ハンドリングボックスには床下への立下りダクトを接続し、太陽熱集熱部で得た集熱空気を集熱用ファンで立下りダクトを介して強制的に室内に送り込むパッシブソーラーシステムハウスにおいて、ハンドリングボックスに集熱ダクトへのリターンダクトを接続し、このリターンダクトと前記立下りダクトへの流路を切換える流路切換えダンパーを設け、前記ハンドリングボックスに室内に開口する吸気ダクトまたは吸気口を前記集熱ダクトとはダンパーで切換え可能に設けたことを要旨とするものである。
【００２６】
請求項１記載の本発明によれば、冬の昼間等の集熱時には、太陽光で加熱された金属板である屋根板が、空気流路へ入った外気を温め、この温められた空気は屋根勾配に沿って上昇する。そして、この加熱空気は集熱ダクトに集められてから集熱用ファンによりハンドリングボックスに入り、ハンドリングボックスから立下りダクト内へ流下し、蓄熱土間コンクリートと床パネルとの間の空気流通空間へ入る。この空気流通空間では加熱空気が床パネルを介して直接床面下を温めるのと、蓄熱土間コンクリ−トに蓄熱させるのと床吹出口から温風として直接室内へ吹出させるのとの３通りの暖房作用を行う。
【００２７】
これを換気として見た場合は、押し込み型、いわゆる静圧型の換気となり、前記室内へ吹き込む量に対応して室内の空気が外へ排気される。この排気は、建物がもともと有する隙間か、もしくは換気口を介して行えばよい。
【００２８】
一方、夏の昼間等には流路切換えダンパーを立下りダクトからリターンダクトと流路を切換え、また、ダンパーを切換えて吸気ダクトまたは吸気口を開口して、前記集熱時と同じく集熱用ファンを運転する。このようにすれば、吸気ダクトまたは吸気口からハンドリングボックス内に吸引された室内の空気がリターンダクトを介して集熱ダクトへ送られ、さらに、屋根部の空気流路を上昇し、軒先等の空気取入口から外へ排気される。その際、屋根部はこの室内からの空気で冷却される。すなわち、屋根冷ましと室内排気が同時に行われ、室内では負圧型の換気が行われることになる。
【００２９】
ところで、夏の夜間には集熱時と同じく集熱用ファンを駆動して夜間の冷気を空気流路に取り込み、押し込み型、いわゆる静圧型の換気となる。このようにして２４時間換気が得られる。また、この場合は、屋根面からの放射冷却も作用させ、この空気を立下りダクトを介して床下蓄熱体と床パネルとの間の空気流通空間に送り、床下蓄熱体としての土間コンクリートに蓄冷させることもできる。特に、夜の冷気が軒先等の空気取入口３から屋根板１直下に形成された空気流路２に入りここで放射冷却がなされる。
【００３０】
請求項２記載の本発明は、地中に埋設するチューブの一端を屋外に開口し、他端を屋内に引き込み、ここにファン内蔵のハンドリングボックスを接続して床下または室内に開口することを要旨とするものである。
【００３１】
請求項２記載の本発明によれば、前記室内の排気は結果として室内が負圧となり、隙間から外の熱い空気を室内に呼び込むおそれがあるが、地中に埋設するチューブ介して地中の温度にプレヒート（冷却）された空気を積極的に吸引することにより、室内の温度上昇を助長するようなことを防止できる。
【００３２】
請求項３記載の本発明は、室内に酸化チタンメッシュスクリーンを設置することを要旨とするものである。
【００３３】
酸化チタンは光触媒とも呼ばれ、その物自体は、酸化も還元もせず、太陽や蛍光灯の光により、化学反応を促進する物質である。酸化チタンは、紫外線を当てると有機物を分解する性質があり脱臭・抗菌作用を持ち、電力などのエネルギーを使わずに大気や水の汚染を浄化することが出来る。また、光触媒には「光誘起超親水性」と呼ばれる性質があり、わずかな水量で、ごく薄い水膜をつくることができる。
【００３４】
請求項３記載の本発明によれば、冬は酸化チタンメッシュスクリーンにお湯を貼ることで、湯の蒸発潜熱を利用して加湿とその熱をスクリーンから放熱することができ、暖房に寄与することができる。また、夏は水を貼ることで、水の蒸発潜熱を利用して、冷却を行うことができる。
【発明の効果】
【００３５】
以上述べたように、本発明は、太陽エネルギー利用を最適化することができるというパッシブソーラーシステムハウスの利点を生かしながら、夏の昼に太陽熱集熱部としての屋根を冷やして室内への悪影響を無くし、同時に建築基準法で定められた健康的な生活をするために必要な建物の換気を特別な換気設備を設けることなく、効率的に得ることができるものである。
【発明を実施するための最良の形態】
【００３６】
以下、図面について本発明の実施形態を詳細に説明する。図１、図２は本発明の１実施形態を示すもので、本発明のパッシブソーラーシステムハウスも基本的な構造は前記特許文献１〜８のソーラーシステムハウスと同様である。
【００３７】
図１、図２に示すように傾斜する屋根を有するものであり、屋根は太陽熱の集熱部分として、カラー鉄板の金属製屋根板１の直下に屋根勾配を有する空気流路２を形成した。この空気流路２の下側は断熱で遮蔽し、また、この空気流路２の一方の端は軒先等に空気取入口３として開口した。さらに空気流路２の他方の端は屋根の高い部分に位置させて空気流出口とし、これに断熱材で形成した集熱ダクト４を連通させる。この集熱ダクト４は本実施形態では屋外に設置するものとしたが、屋内に設けてもよい。
【００３８】
このような屋根で集熱した太陽熱を蓄熱・放熱する部分として、土間コンクリ−ト１１を床下蓄熱体として利用する。そのため、土間コンクリ−ト１１と床パネル１２との間に空気流通空間１３を設け、さらに、該空気流通空間１３から室内への床吹出口１４を設け、この空気流通空間１３では加熱空気が床パネル１２を介して直接床面下を温めるのと、土間コンクリ−ト１１に蓄熱させるのと床吹出口１４から温風として直接室内へ吹出させるのとの３通りの暖房作用を行うようにした。
【００３９】
また、これら太陽熱を集熱する部分と、太陽熱を蓄熱・放熱部分する部分とを結ぶものとしてハンドリングボックス５を屋内に設置した。
【００４０】
このハンドリングボックス５は、内部に逆流防止ダンパーを兼用する一端を軸支したチャッキダンパーとしてのダンパー６′、集熱用ファン７及び流路切換えダンパー８を設けたボックスである。そして、ハンドリングボックス５の流路切換えダンパー８の流出側の一方はリターンダクト２２として前記集熱ダクト４に接続させた。
【００４１】
また、ハンドリングボックス５のダンパー６′の流入側をダクト３２を介して前記集熱ダクト４に連通させ、流路切換えダンパー８の流出側の他の一方を立下りダクト１０の上端に連結する。立下りダクト１０の下端は床下蓄熱体としての土間コンクリ−ト１１と床パネル１２との間の空気流通空間１３に開口した。
【００４２】
なお、本実施形態は、前記図４の従来例とは異なり、ハンドリングボックス５の内部お湯とりコイルを設けてお湯とりを行うことはしない。
【００４３】
本実施形態では前記ハンドリングボックス５へ室内２０に開口する吸気ダクトまたは吸気口２７を設け、ダンパー６′はこの吸気ダクトまたは吸気口２７と集熱ダクト４へのダクト３２との流路を切換えるものとする。
【００４４】
さらに、地中に埋設するチューブ（クールチューブ）２５の一端を屋外に開口し、他端を屋内、図示の例では、土間コンクリ−ト１１と床パネル１２との間の空気流通空間１３に引き込み、ここにファン２８ａ内蔵のハンドリングボックス２８を接続した。
【００４５】
このハンドリングボックス２８内で前記チューブ２５の一端を開閉するダンパー２３をハンドリングボックス２８内に設けた。なお、チューブ２５の一端は室内に開口するようにしてもよい。
【００４６】
また、２４時間換気扇として熱交換換気扇３０を設ける。
【００４７】
これらハンドリングボックス２８のファン２８ａ、ダンパー２３、熱交換換気扇３０はハンドリングボックス５のファンやダンパー等を制御する制御盤２４で同様にプログラム制御するものとする。
【００４８】
また、室内２０には、酸化チタンメッシュスクリーン３１を設置した。酸化チタンメッシュスクリーン３１は水滴が通過しないような目の大きさのメッシュスクリーン材にチタン含有物質を塗布、乾燥あるいは低温で焼き付けることにより、酸化チタンからなる保護被膜、光触媒、誘電体膜、半導体膜、紫外線カット被膜、着色コーティングなどを形成するもので、メッシュスクリーン材としては、ガラス、白磁器、金属、プラスチックス等の各種材料が選択可能である。
【００４９】
次に、使用法について説明する。先に、冬の昼間等の場合で、太陽熱の集熱部分としての金属製屋根板１の直下に屋根勾配を有する空気流路２を介しての空気取り入れの場合を図２について述べる。
【００５０】
太陽光で加熱された金属板である屋根板１が、空気流路２へ入った外気を温め、この温められた空気は屋根勾配に沿って上昇する。
【００５１】
そして、この加熱空気は集熱ダクト４に集められてから集熱用ファン７によりハンドリングボックス５に入り、ハンドリングボックス５から立下りダクト１０内に流下し、蓄熱土間コンクリート１１と床パネル１２との間の空気流通空間１３へ入る。この空気流通空間１３では加熱空気が床パネル１２を介して直接床面下を温めるのと、蓄熱土間コンクリート１１に蓄熱させるのと床吹出口１４から温風として直接室内へ吹出させるのとの３通りの暖房作用を行う。
【００５２】
酸化チタンメッシュスクリーン３１にはお湯を貼る。この酸化チタンメッシュスクリーン３１の湯は蒸発し、その蒸発潜熱を利用して加湿と放熱をすることができる。
【００５３】
また、夏の夜間に集熱用ファン７を運転し、夜間の冷気を金属製屋根板１の直下の空気流路２に取り込み、屋根面からの放射冷却も作用させ、この空気を立下りダクト１０を介して床下蓄熱体と床パネル１２との間の空気流通空間１３に送り、床下蓄熱体としての土間コンクリート１１に蓄冷させることもできる。特に、夜の冷気が軒先等の空気取入口３から屋根板１直下に形成された空気流路２に入りここで放射冷却がなされる。
【００５４】
このような冬の昼間や夏の夜間は、空気は押し込み型、いわゆる静圧型の換気となり、前記室内２０へ吹き込む量に対応して室内２０の空気が外へ排気される。この排気は、建物がもともと有する隙間か、もしくは換気口を介して行えばよい。
【００５５】
次に、天気の悪い時や冬の夜間には図１に示すように、前記ダンパー６′を回転させてダクト３２側の流路を閉じ、吸気ダクトまたは吸気口２７を開いて集熱用ファン７を運転を運転する。これにより、排気形の換気が行われる。なお、室内２０への吸気は熱交換換気扇３０により行い、外の寒い空気を取り入れる際に排気との熱交換換を行ってもよい。
【００５６】
夏の昼間等では、流路切換えダンパー８を立下りダクト１０からリターンダクト２２と流路を切換え、また、ダンパー６′を切換えて吸気ダクトまたは吸気口２７を開口して、前記集熱時と同じく集熱用ファン７を運転する。
【００５７】
また、ダンパー２３により地中に埋設するチューブ２５の一端を開口し、屋外に連通させる。
【００５８】
このようにすれば、吸気ダクトまたは吸気口２７からハンドリングボックス５内に吸引された室内の空気がリターンダクト２２を介して集熱ダクト４へ送られ、さらに、屋根部の空気流路２を上昇し、軒先等の空気取入口３から外へ排気される。その際、屋根部はこの室内２０からの空気で冷却される。
【００５９】
また、室内２０では吸引式（負圧型）の排気が同時に行われ、屋外からチューブ２５を通り地中で冷やされた空気が室内２０に取り込まれる。
【００６０】
このような夏の昼間等には、酸化チタンメッシュスクリーン３１には水を貼ることで、水の蒸発潜熱を利用して、室内２０の冷却を行うことができる。図３は光触媒による光誘起超親水性効果を示すものとして接触角の減少を示すものである。
【図面の簡単な説明】
【００６１】
【図１】本発明のパッシブソーラーシステムハウスの第１実施形態を示す夏の昼間等の集熱取り込み時の縦断正面図である。
【図２】本発明のパッシブソーラーシステムハウスの第１実施形態を示す冬の昼間等のモードの縦断正面図である。
【図３】酸化チタンメッシュスクリーンの水滴の接触角を示すグラフである。
【図４】従来のソーラーシステムハウスの概要を示す縦断側面図である。
【符号の説明】
【００６２】
１…屋根板                    ２…空気流路
３…空気取入口                ４…集熱ダクト
５…ハンドリングボックス      ６…逆流防止ダンパー
６′…ダンパー                ７…集熱用ファン
８…流路切換えダンパー        ９…排気ダクト
１０…立下りダクト            １１…土間コンクリート
１２…床パネル                １３…空気流通空間
１４…床吹出口                １５…お湯とりコイル
１６…循環配管                １７…貯湯槽
１８…追焚き用の給湯ボイラー  １９…循環ポンプ
２０…室内                    ２１…給湯配管
２２…リターンダクト          ２３…ダンパー
２４…制御盤                  ２５…チューブ
２６…２４時間換気扇          ２７…吸気ダクトまたは吸気口
２８…ハンドリングボックス    ２８ａ…ファン
２９…小屋裏                  ３０…熱交換換気扇
３１…酸化チタンメッシュスクリーン
３２…ダクト
【図１】
2005291594.tif 000003
【図２】
2005291594.tif 000004
【図３】
2005291594.tif 000005
【図４】
2005291594.tif 000006